(57)【要約】【課題】接続先の外部機器から供給される電力に基づいて制御部を起動することが可能な画像処理装置において，電力の無駄な消費を軽減する技術を提供すること。【解決手段】ＭＦＰ１００は，電力の供給を受ける受給口として，電源プラグ９０とＵＳＢコネクタ７０とを有する。そして，ＭＦＰ１００は，ＣＰＵ３１が電力切替部５０からの電力の供給を受けて起動した際，ＣＰＵ３１が電源プラグ９０に供給された電力によって駆動されているか否かを判断する。そして，電源プラグ９０に供給された電力ではない，すなわちＵＳＢコネクタ７０に供給された電力によって制御部が駆動されていると判断した場合，ＭＦＰ１００は，第１切替情報３４１がＯＦＦであることを条件として，電力切替部５０に対してＣＰＵ３１に電力を供給しない状態に切り替える指示を行う。【選択図】図５
2018089912.tif 000002
【特許請求の範囲】
【請求項１】
画像処理を行う画像処理部と，
制御部と，
電力切替部と，
を備え，
前記電力切替部は，
外部機器に接続されて前記外部機器から電力の供給を受ける第１受給口と，
商用電源に接続されて電力の供給を受ける第２受給口と，
前記第１受給口に供給された電力を，前記制御部に供給する第１接続状態と供給しない第１非接続状態とに切り換える第１スイッチと，
前記第２受給口に供給された電力を，前記制御部に供給する第２接続状態と供給しない第２非接続状態とに切り換える第２スイッチと，
前記第２受給口に供給された電力を，前記画像処理部に供給する第３接続状態と供給しない第３非接続状態とに切り換える第３スイッチと，
を備え，
前記電力切替部は，
前記制御部および前記画像処理部に電力を供給しない第１モードと，
前記制御部には電力を供給し，前記画像処理部には電力を供給しない第２モードと，
前記制御部および前記画像処理部に電力を供給する第３モードと，
の少なくとも３種類の供給モードで電力を供給可能であり，
前記電力切替部は，
電力が供給されていない状態から，前記第１受給口に電力が供給された状態に変化した場合，前記第１スイッチが前記第１接続状態となることで，前記供給モードが前記第２モードになり，
電力が供給されていない状態から，前記第２受給口に電力が供給された状態に変化した場合，前記第２スイッチが前記第２接続状態となり，前記第３スイッチが前記第３非接続状態となることで，前記供給モードが前記第２モードになり，
前記制御部は，
前記電力切替部から電力の供給を受けて起動した場合に，
前記第２受給口に供給された電力によって駆動されているか否かを判断し，
前記第２受給口に供給された電力によって駆動されていないと判断した場合，前記第１スイッチを前記第１非接続状態に切り替える条件である第１変更条件を満たすか否かを判断し，
前記第１変更条件を満たすと判断した場合，前記電力切替部に対して前記第１スイッチを前記第１非接続状態に切り替える指示を行い，
前記第１変更条件を満たさないと判断した場合，前記電力切替部の前記供給モードを前記第２モードのまま維持し，
前記第２受給口に供給された電力によって駆動されていると判断した場合，前記電力切替部に対して，前記第２スイッチを前記第２非接続状態に切り替える指示か，あるいは前記第３スイッチを前記第３接続状態に切り替える指示の，いずれか一方を行う，
ことを特徴とする画像処理装置。
【請求項２】
請求項１に記載する画像処理装置において，
不揮発性の記憶部を備え，
前記第１変更条件は，
第１の情報が前記記憶部に記憶されていること，であり，
前記制御部は，
前記電力切替部から電力の供給を受けて起動した場合であって，前記第２受給口に供給された電力によって駆動されていると判断した場合，前記記憶部に前記第１の情報を記憶させる，
ことを特徴とする画像処理装置。
【請求項３】
請求項１または請求項２に記載する画像処理装置において，
前記制御部は，
前記電力切替部から電力の供給を受けて起動した場合であって，前記第２受給口に供給された電力によって駆動されていると判断した場合，
前記第２スイッチを前記第２非接続状態に切り替える条件である第２変更条件を満たすか否かを判断し，
前記第２変更条件を満たしていると判断した場合，前記電力切替部に対して前記第２スイッチを前記第２非接続状態に切り替える指示を行い，
前記第２変更条件を満たしていないと判断した場合，前記電力切替部に対して前記第３スイッチを前記第３接続状態に切り替える指示を行う，
ことを特徴とする画像処理装置。
【請求項４】
請求項３に記載する画像処理装置において，
電源キーと，
不揮発性の記憶部と，
を備え，
前記第２変更条件は，
第２の情報が前記記憶部に記憶されていること，であり，
前記制御部は，
前記電力切替部から電力の供給を受けて起動した場合であって，前記第２受給口に供給された電力によって駆動されていると判断し，かつ前記第２変更条件を満たしていないと判断した場合，前記第２の情報を前記記憶部から消去し，
前記電力切替部が前記第３モードのときに前記電源キーが操作された場合に，前記記憶部に前記第２の情報を記憶させる，
ことを特徴とする画像処理装置。
【請求項５】
請求項３に記載する画像処理装置において，
電源キーを備え，
前記第２変更条件は，
前記電源キーが操作されていないこと，である，
ことを特徴とする画像処理装置。
【請求項６】
請求項１から請求項５のいずれか１つに記載する画像処理装置において，
前記第１受給口は，直流電力の供給を受け，
前記第２受給口は，交流電力の供給を受け，
前記電力切替部は，
前記第２受給口にて供給を受けている電力に基づいて，交流電圧の絶対値がゼロとなるゼロクロスポイントを検出する波形信号を生成し，
前記制御部は，
前記波形信号に基づいて，単位時間あたりに検出される前記ゼロクロスポイントの数が所定値より多い場合に，前記第２受給口に供給された電力によって駆動されていると判断する，
ことを特徴とする画像処理装置。
【請求項７】
請求項１から請求項６のいずれか１つに記載する画像処理装置において，
前記外部機器から信号を受信する受信部を備え，
前記制御部は，
前記第１受給口に供給される電力を遮断することを示す信号を，前記受信部が受信した場合，前記電力切替部に対して前記第１スイッチを前記第１非接続状態に切り替える指示を行う，
ことを特徴とする画像処理装置。
【請求項８】
請求項１から請求項７のいずれか１つに記載する画像処理装置において，
前記制御部は，
前記電力切替部が前記第２モードの期間中，前記画像処理部に画像処理を行わせるジョブを受け付けた場合に，当該ジョブを実行しない，
ことを特徴とする画像処理装置。
【請求項９】
請求項１から請求項８のいずれか１つに記載する画像処理装置において，
前記外部機器から信号を受信する受信部を備え，
前記制御部は，
前記電力切替部が前記第２モードの期間中，ファームウェアあるいは設定情報を書き換える信号を，前記受信部が受信した場合に，書換対象の情報を書き換える，
ことを特徴とする画像処理装置。
【請求項１０】
請求項１から請求項９のいずれか１つに記載する画像処理装置において，
前記外部機器から信号を受信する受信部を備え，
前記制御部は，
前記電力切替部が前記第２モードの期間中，前記受信部が信号を受信していない状態が一定時間以上継続した場合，前記電力切替部に対して前記第１スイッチを前記第１非接続状態に切り替える指示を行う，
ことを特徴とする画像処理装置。
【請求項１１】
請求項１から請求項１０のいずれか１つに記載する画像処理装置において，
前記外部機器から信号を受信する受信部を備え，
前記制御部は，
前記電力切替部から電力の供給を受けて起動した場合であって，前記第２受給口に供給された電力によって駆動されていないと判断し，かつ前記第１変更条件を満たすと判断した場合，
前記電力切替部に対して前記第１スイッチを前記第１非接続状態に切り替える指示を行う前に，前記受信部が応答要求信号を受信したとしても，応答信号を送信しない，
ことを特徴とする画像処理装置。
【請求項１２】
請求項１から請求項１１のいずれか１つに記載する画像処理装置において，
電源キーを備え，
前記電力切替部は，
前記第２受給口に電力が供給されている状態であり，かつ前記制御部が起動していない状態で，前記電源キーが操作された場合に，前記制御部に電力を供給する，
ことを特徴とする画像処理装置。
【請求項１３】
請求項１から請求項１２のいずれか１つに記載する画像処理装置において，
前記制御部は，
前記電力切替部に対して前記第３スイッチを前記第３接続状態に切り替える指示を行った場合に，前記電力切替部に対して前記第１スイッチを前記第１非接続状態に切り替える指示も行う，
ことを特徴とする画像処理装置。
【請求項１４】
画像処理を行う画像処理部と，
制御部と，
電力切替部と，
を備え，
前記電力切替部は，
外部機器に接続されて前記外部機器から電力の供給を受ける第１受給口と，
商用電源に接続されて電力の供給を受ける第２受給口と，
前記第１受給口に供給された電力を，前記制御部に供給する第１接続状態と供給しない第１非接続状態とに切り換える第１スイッチと，
前記第２受給口に供給された電力を，前記制御部に供給する第２接続状態と供給しない第２非接続状態とに切り換える第２スイッチと，
前記第２受給口に供給された電力を，前記画像処理部に供給する第３接続状態と供給しない第３非接続状態とに切り換える第３スイッチと，
を備え，
前記電力切替部は，
前記制御部および前記画像処理部に電力を供給しない第１モードと，
前記制御部には電力を供給し，前記画像処理部には電力を供給しない第２モードと，
前記制御部および前記画像処理部に電力を供給する第３モードと，
の少なくとも３種類の供給モードで電力を供給可能であり，
前記電力切替部は，
電力が供給されていない状態から，前記第１受給口に電力が供給された状態に変化した場合，前記第１スイッチが前記第１接続状態となることで，前記供給モードが前記第２モードになり，
電力が供給されていない状態から，前記第２受給口に電力が供給された状態に変化した場合，前記第２スイッチが前記第２接続状態となり，前記第３スイッチが前記第３非接続状態となることで，前記供給モードが前記第２モードになり，
前記制御部は，
前記電力切替部から電力の供給を受けて起動した場合に，
前記電力切替部の前記第２受給口に電力が供給されているか否かの判断と，
前記電力切替部の電力の供給モードを第１モードに変更する条件である変更条件を満たすか否かの判断と，を行い，
前記電力切替部の前記第２受給口に電力が供給されていないと判断し，かつ前記変更条件を満たすと判断した場合，前記電力切替部に対して前記第１スイッチを前記第１非接続状態に切り替える指示を行い，
前記電力切替部の前記第２受給口に電力が供給されていると判断し，かつ前記変更条件を満たすと判断した場合，前記電力切替部に対して前記第２スイッチを前記第２非接続状態に切り替える指示を行い，
前記変更条件を満たさないと判断した場合，前記電力切替部の前記供給モードを前記第２モードのまま維持するか，あるいは，前記電力切替部に対して前記第３スイッチを前記第３接続状態に切り替える指示を行う，
ことを特徴とする画像処理装置。
【請求項１５】
画像処理を行う画像処理部と，
制御部と，
電力切替部と，
を備え，
前記電力切替部は，
外部機器に接続されて前記外部機器から電力の供給を受ける第１受給口と，
商用電源に接続されて電力の供給を受ける第２受給口と，
前記第１受給口に供給された電力を，前記制御部に供給する第１接続状態と供給しない第１非接続状態とに切り換える第１スイッチと，
前記第２受給口に供給された電力を，前記制御部に供給する第２接続状態と供給しない第２非接続状態とに切り換える第２スイッチと，
前記第２受給口に供給された電力を，前記画像処理部に供給する第３接続状態と供給しない第３非接続状態とに切り換える第３スイッチと，
を備え，
前記電力切替部は，
前記制御部および前記画像処理部に電力を供給しない第１モードと，
前記制御部には電力を供給し，前記画像処理部には電力を供給しない第２モードと，
前記制御部および前記画像処理部に電力を供給する第３モードと，
の少なくとも３種類の供給モードで電力を供給可能であり，
前記電力切替部は，
電力が供給されていない状態から，前記第１受給口に電力が供給された状態に変化した場合，前記第１スイッチが前記第１接続状態となることで，前記供給モードが前記第２モードになり，
電力が供給されていない状態から，前記第２受給口に電力が供給された状態に変化した場合，前記第２スイッチが前記第２接続状態となり，前記第３スイッチが前記第３非接続状態となることで，前記供給モードが前記第２モードになり，
前記制御部は，
前記電力切替部から電力の供給を受けて起動した場合に，
前記電力切替部の前記第２受給口に電力が供給されているか否かを判断し，
前記電力切替部の前記第２受給口に電力が供給されていないと判断した場合，前記第１スイッチを前記第１非接続状態に切り替える条件である第１変更条件を満たすか否かを判断し，
前記第１変更条件を満たすと判断した場合，前記電力切替部に対して前記第１スイッチを前記第１非接続状態に切り替える指示を行うことにより，前記電力切替部の前記供給モードを前記第２モードから前記第１モードに切り替え，
前記第１変更条件を満たさないと判断した場合，前記電力切替部の前記供給モードを前記第２モードのまま維持し，
前記電力切替部の前記第２受給口に電力が供給されていると判断した場合，前記電力切替部に対して，前記第２スイッチを前記第２非接続状態に切り替える指示と前記第３スイッチを前記第３接続状態に切り替える指示とのいずれか一方を行う，
ことを特徴とする画像処理装置。
【発明の詳細な説明】
【技術分野】
【０００１】
本発明は，画像処理を行う画像処理装置に関する。さらに詳細には，外部機器に接続されてその外部機器から電力の供給を受けることが可能な画像処理装置において，電力制御に関するものである。
【背景技術】
【０００２】
従来から，接続先の外部機器から電力の供給を受けることのできる画像処理装置では，その接続先の外部機器から供給される電力に基づいて，商用電源から電力の供給を受けずにＣＰＵ等の制御部を起動するモードが知られている。上記のモードは，例えば，工場出荷の段階において，商用電源からの電力供給が困難な梱包済みの画像処理装置に対して，データを書き換える際に有効である。
【０００３】
上記のモードに関する技術を開示した文献としては，例えば，特許文献１がある。特許文献１には，画像形成装置とパーソナルコンピュータ（ＰＣ）とをＵＳＢインターフェイスを介して接続し，ＵＳＢインターフェイスを介してＰＣから画像形成装置に電力を供給し，商用電源に接続することなく画像形成装置のファームウェアを更新する構成が開示されている。
【先行技術文献】
【特許文献】
【０００４】
【特許文献１】特開２００７−２１６６１９号公報
【発明の概要】
【発明が解決しようとする課題】
【０００５】
しかしながら，前記した従来の技術には，次のような問題があった。すなわち，外部機器から供給される電力のみでは画像処理を実行できない。そのため，出荷後のユーザの使用環境において，ユーザが上記のモードを利用する必要はない。一方で，出荷後であっても上記のモードの利用は可能である。そのため，ユーザが意図せずに上記のモードで制御部を起動させてしまうと，外部機器からの電力を無駄に消費することになる。
【０００６】
本発明は，前記した従来の技術が有する問題点を解決するためになされたものである。すなわちその課題とするところは，接続先の外部機器から供給される電力に基づいて制御部を起動することが可能な画像処理装置において，電力の無駄な消費を軽減する技術を提供することにある。
【課題を解決するための手段】
【０００７】
この課題の解決を目的としてなされた画像処理装置は，画像処理を行う画像処理部と，制御部と，電力切替部と，を備え，前記電力切替部は，外部機器に接続されて前記外部機器から電力の供給を受ける第１受給口と，商用電源に接続されて電力の供給を受ける第２受給口と，前記第１受給口に供給された電力を，前記制御部に供給する第１接続状態と供給しない第１非接続状態とに切り換える第１スイッチと，前記第２受給口に供給された電力を，前記制御部に供給する第２接続状態と供給しない第２非接続状態とに切り換える第２スイッチと，前記第２受給口に供給された電力を，前記画像処理部に供給する第３接続状態と供給しない第３非接続状態とに切り換える第３スイッチと，を備え，前記電力切替部は，前記制御部および前記画像処理部に電力を供給しない第１モードと，前記制御部には電力を供給し，前記画像処理部には電力を供給しない第２モードと，前記制御部および前記画像処理部に電力を供給する第３モードと，の少なくとも３種類の供給モードで電力を供給可能であり，前記電力切替部は，電力が供給されていない状態から，前記第１受給口に電力が供給された状態に変化した場合，前記第１スイッチが前記第１接続状態となることで，前記供給モードが前記第２モードになり，電力が供給されていない状態から，前記第２受給口に電力が供給された状態に変化した場合，前記第２スイッチが前記第２接続状態となり，前記第３スイッチが前記第３非接続状態となることで，前記供給モードが前記第２モードになり，前記制御部は，前記電力切替部から電力の供給を受けて起動した場合に，前記第２受給口に供給された電力によって駆動されているか否かを判断し，前記第２受給口に供給された電力によって駆動されていないと判断した場合，前記第１スイッチを前記第１非接続状態に切り替える条件である第１変更条件を満たすか否かを判断し，前記第１変更条件を満たすと判断した場合，前記電力切替部に対して前記第１スイッチを前記第１非接続状態に切り替える指示を行い，前記第１変更条件を満たさないと判断した場合，前記電力切替部の前記供給モードを前記第２モードのまま維持し，前記第２受給口に供給された電力によって駆動されていると判断した場合，前記電力切替部に対して，前記第２スイッチを前記第２非接続状態に切り替える指示か，あるいは前記第３スイッチを前記第３接続状態に切り替える指示の，いずれか一方を行う，ことを特徴としている。
【０００８】
本明細書に開示される画像処理装置は，電力が供給されていない状態から電力が供給された状態に変化すると，電力切替部の電力の供給モードが第２モードになる。第２モードは，制御部には電力を供給し，画像処理部には電力を供給しないモードである。そして，制御部が電力切替部からの電力の供給を受けて起動した際，制御部自身が，第２受給口に供給された電力によって駆動されているか否かを判断する。そして，第２受給口に供給された電力ではない，すなわち第１受給口に供給された電力によって制御部が駆動されていると判断した場合，制御部は，予め定められた第１変更条件を満たしていることを条件として，電力切替部に対して第１スイッチを第１非接続状態に切り替える指示を行い，電力切替部の電力の供給モードを第２モードから第１モードに切り替える。このように第２モードでの動作を制限する条件を設けることで，第２モードの利用を制限しない場合と比較して，出荷後に第２モードで動作する機会が減り，結果として電力の無駄な消費の軽減が期待できる。
【０００９】
上記装置の機能を実現するための制御方法，コンピュータプログラム，および当該コンピュータプログラムを格納するコンピュータにて読取可能な記憶媒体も，新規で有用である。
【発明の効果】
【００１０】
本発明によれば，接続先の外部機器から供給される電力に基づいて制御部を起動することが可能な画像処理装置において，電力の無駄な消費を軽減する技術が実現される。
【図面の簡単な説明】
【００１１】
【図１】実施の形態に係るＭＦＰの概略外観を示す斜視図である。
【図２】ＭＦＰとホスト側装置とを接続した状態を示す図である。
【図３】ＭＦＰの電気的構成を示すブロック図である。
【図４】各モードにおける電力の供給先を示す説明図である。
【図５】ホスト側装置から電力が供給された際の，電力の供給モードの移行手順を示す説明図である。
【図６】商用電源から電力が供給された際の，電力の供給モードの移行手順を示す説明図である。
【図７】モード移行処理の手順を示すフローチャートである。
【図８】第２モード処理の手順を示すフローチャートである。
【図９】商用電力処理の手順を示すフローチャートである。
【発明を実施するための形態】
【００１２】
以下，本発明に係る画像処理装置を具体化した実施の形態について，添付図面を参照しつつ詳細に説明する。本形態は，バス接続先の電源から電力の供給を受けることができる装置であって，画像処理機能を備えた複合機（ＭＦＰ：Multi Function Peripheral）に本発明を適用したものである。
【００１３】
本形態のＭＦＰ１００は，図１に示すように，画像処理部１０と，操作パネル４０と，電源キー６０と，ＵＳＢコネクタ７０と，電源プラグ９０と，を備えている。画像処理部１０には，画像形成部１１と画像読取部１２とが含まれる。ＭＦＰ１００は，電源プラグ９０が商用電源を供給するソケットに差し込まれることにより，商用電源からの交流電力の供給を受ける。すなわち，電源プラグ９０は，電力の供給を受ける受給口であり，第２受給口の一例である。
【００１４】
画像形成部１１は，シートに画像を印刷するための構成である。画像形成部１１の画像形成方式は，電子写真方式であっても，インクジェット方式であってもよい。本形態のＭＦＰ１００は，カラー画像の形成が可能な装置であってもよいし，モノクロ印刷専用の装置であってもよい。また，ＭＦＰ１００は，両面印刷可能な装置であってもよいし，片面印刷専用の装置であってもよい。
【００１５】
画像読取部１２は，原稿の画像を読み取るための構成である。読取方式は，ＣＣＤ方式であってもＣＩＳ方式であってもよい。本形態のＭＦＰ１００は，カラー読み取りが可能な装置であってもよいし，モノクロ読み取り専用の装置であってもよい。また，本形態のＭＦＰ１００は，両面読み取り可能な装置であってもよいし，片面読み取り専用の装置であってもよい。また，本形態のＭＦＰ１００は，自動原稿送り装置を備える装置であってもよいし，備えない装置であってもよい。
【００１６】
操作パネル４０は，図１に示すように，液晶ディスプレイ４１と，ボタン群４２とを備える。ＭＦＰ１００は，各種の情報や装置の状態を操作パネル４０の液晶ディスプレイ４１に表示させる。ボタン群４２には，実行ボタン，キャンセルボタン，テンキー等が設けられている。ＭＦＰ１００は，ボタン群４２への操作によって画像処理部１０の動作の指示を受け付ける。液晶ディスプレイ４１は，表示機能と入力機能とを有するタッチパネルであってもよい。
【００１７】
電源キー６０は，後述するように，モーメンタリタイプのスイッチ（第５スイッチ５６，図３参照）と連動する構成を有している。つまり，第５スイッチ５６は，電源キー６０へのユーザの操作を受けている期間中のみ，導通状態となり，ユーザの操作を受けない期間では，非導通状態となる。ＭＦＰ１００は，電源キー６０への操作を受け付けた場合，画像処理部１０への電力の供給状態を切り替える。電力の供給状態の切り替えの詳細については後述する。
【００１８】
ＵＳＢコネクタ７０は，いわゆるＵＳＢ−Ｂソケットであり，ＵＳＢ規格に準ずるＵＳＢプラグの差し込み口である。ＭＦＰ１００は，図２に示すように，ＵＳＢ−Ｂプラグを備えるＵＳＢケーブル７１がＵＳＢコネクタ７０に差し込まれることで，ＵＳＢケーブル７１を介して，ＰＣ等のホスト側装置２００に接続される。ＭＦＰ１００は，ＵＳＢコネクタ７０にホスト側装置２００が接続された状態では，ＵＳＢケーブル７１を介してホスト側装置２００からＵＳＢ規格に準ずる直流電力の供給を受けることができる。すなわち，ＵＳＢコネクタ７０は，電力の供給を受ける受給口であり，第１受給口の一例である。ＵＳＢコネクタ７０に接続されたホスト側装置２００は，外部機器の一例である。
【００１９】
なお，ＵＳＢコネクタ７０は，ＵＳＢ規格に準ずるインターフェイス機能を有している。そのため，ＭＦＰ１００は，例えば，プラグアンドプレイ（ＰｎＰ）応答を行う。つまり，ＭＦＰ１００は，ホスト側装置２００から送信される応答要求信号に対応して，応答信号をホスト側装置２００へ送信することで，ＵＳＢコネクタ７０を介してホスト側装置２００と通信可能な状態となる。以下では，ＵＳＢコネクタ７０を介した接続を，「ＵＳＢ接続」とする。ＵＳＢコネクタ７０は，受信部の一例でもある。
【００２０】
続いて，本形態のＭＦＰ１００の電気的構成について説明する。ＭＦＰ１００は，図３に示すように，ＣＰＵ３１と，ＲＯＭ３２と，ＲＡＭ３３と，不揮発性メモリ３４とを含むコントローラ３０を備えている。また，ＭＦＰ１００は，画像処理部１０と，操作パネル４０と，電力切替部５０と，を備えている。電力切替部５０は，電力系統を介してコントローラ３０と画像処理部１０と操作パネル４０とに電力を供給する。また，コントローラ３０は，信号系統を介して画像処理部１０と操作パネル４０と電力切替部５０とを制御する。なお，図３中で，太線の矢印は電力系統を，その供給の向きとともに示している。また，図３中で，細線の矢印は信号系統を示している。
【００２１】
ＲＯＭ３２には，ＭＦＰ１００を制御するための各種制御プログラムや各種設定，初期値等が記憶されている。ＲＡＭ３３は，各種制御プログラムが読み出される作業領域として，あるいは，データを一時的に記憶する記憶領域として利用される。不揮発性メモリ３４は，データや各種設定等を記憶する領域として利用される。不揮発性メモリ３４としては，例えば，Ｅ２ＰＲＯＭ，フラッシュメモリが使用できる。
【００２２】
不揮発性メモリ３４には，第１切替情報３４１と第２切替情報３４２とが記憶される。第１切替情報３４１は，後述する第１スイッチ５２を接続状態とするか非接続状態とするかを示す情報である。第１切替情報３４１は，第１の情報の一例である。第２切替情報３４２は，後述する第２スイッチ５３を接続状態とするか非接続状態とするかを示す情報である。第２切替情報３４２は，第２の情報の一例である。不揮発性メモリ３４は，記憶部の一例である。なお，製造直後，第１切替情報３４１はＯＮになっており，第２切替情報３４２はＯＦＦになっている。
【００２３】
ＣＰＵ３１は，ＲＯＭ３２から読み出した制御プログラムに従って，その処理結果をＲＡＭ３３または不揮発性メモリ３４に記憶させながら，ＭＦＰ１００の各構成要素を制御する。ＣＰＵ３１は，制御部の一例である。コントローラ３０が，制御部の一例であってもよい。なお，図３中のコントローラ３０は，ＣＰＵ３１等，ＭＦＰ１００の制御に利用されるハードウェアを纏めた総称であって，実際にＭＦＰ１００に存在する単一のハードウェアを表すとは限らない。
【００２４】
電力切替部５０は，図３に示すように，コンバータ５１と，複数のスイッチと，を備えている。複数のスイッチには，第１スイッチ５２，第２スイッチ５３，第３スイッチ５４，第４スイッチ５５，第５スイッチ５６，が含まれる。電力切替部５０は，電源プラグ９０を介して商用電源から供給される電力あるいはＵＳＢコネクタ７０を介して接続されるホスト側装置２００から供給される電力の供給を受け，コントローラ３０と，画像処理部１０と，操作パネル４０と，に電力を供給する。
【００２５】
コンバータ５１は，電源プラグ９０を介して商用電源から供給を受けた電力の電圧を，それぞれの供給先にて必要な電圧に変換して出力する。
【００２６】
電力切替部５０の第１スイッチ５２〜第４スイッチ５５は，図３に示すように，電力の供給路を開閉するスイッチである。具体的に，第１スイッチ５２は，ＵＳＢ接続されたホスト側装置からコントローラ３０への電力の供給路を開閉する。第２スイッチ５３は，コンバータ５１からコントローラ３０への電力の供給路を開閉する。第３スイッチ５４は，コンバータ５１から画像処理部１０への電力の供給路を開閉する。第４スイッチ５５は，コンバータ５１から操作パネル４０への電力の供給路を開閉する。以下では，第１スイッチ５２〜第４スイッチ５５について，電力の供給路を導通させて電力の供給が可能な状態を「接続状態」，電力の供給路を導通させず電力の供給が不可能な状態を「非接続状態」とする。
【００２７】
第１スイッチ５２は，電力切替部５０がＵＳＢコネクタ７０を介してＵＳＢ規格に準ずる直流電力の供給を受けていない状態では，接続状態であるか非接続状態であるかが不定である。第１スイッチ５２は，電力切替部５０がＵＳＢコネクタ７０を介してＵＳＢ規格に準ずる直流電力の供給を受けていない状態から受けている状態に変化したことを契機に，接続状態となる。第２スイッチ５３，第３スイッチ５４，第４スイッチ５５は，電力切替部５０が電源プラグ９０を介して交流電力の供給を受けていない状態では，接続状態であるか非接続状態であるかが不定である。第２スイッチ５３は，電力切替部５０が電源プラグ９０を介して交流電力の供給を受けていない状態から受けている状態に変化したことを契機に，接続状態となる。第３スイッチ５４および第４スイッチ５５は，電力切替部５０が電源プラグ９０を介して交流電力の供給を受けていない状態から受けている状態に変化したことを契機に，非接続状態となる。
【００２８】
そして，第１スイッチ５２〜第４スイッチ５５は，それぞれ，コントローラ３０から電力切替部５０へ送信される制御信号に基づいて接続状態あるいは非接続状態へ切り替えられる。電力切替部５０への電力の供給が継続されていれば，コントローラ３０から再度の制御信号を受け付けるまで，第１スイッチ５２〜第４スイッチ５５は，切り替えられた状態を維持する。一方，切り替え後であっても，電力切替部５０に電力が供給されていない状態となれば，第１スイッチ５２〜第４スイッチ５５は接続状態であるか非接続状態であるかが不定となる。
【００２９】
第５スイッチ５６は，前述したように，電源キー６０によって開閉されるモーメンタリタイプのスイッチである。第５スイッチ５６は，第２スイッチ５３と並列に配置され，コンバータ５１からコントローラ３０への電力の供給路を開閉する。具体的に，電源キー６０が操作されている期間中は，第２スイッチ５３の開閉状態に関わらず，第５スイッチ５６を介して，コンバータ５１からコントローラ３０への電力の供給路が導通状態となる。また，電源キー６０への操作を受け付けた場合，操作を受け付けたことを示す信号が，コントローラ３０に入力される。
【００３０】
電力切替部５０は，さらに，図３に示すように，第１整流器６１と，第２整流器６２と，を備えている。本形態のＭＦＰ１００では，ＵＳＢコネクタ７０からコントローラ３０への第１の電力供給路と，コンバータ５１からコントローラ３０への第２の電力供給路とがあり，コントローラ３０より上流側で合流している。そして，第１整流器６１は，第１の電力供給路中，第１スイッチ５２より下流側かつ合流箇所よりも上流側の位置にて，電力の供給方向への電流のみを通過するように配置されている。つまり，第１整流器６１は，コンバータ５１を介してコントローラ３０に電力が供給されている場合に，第１スイッチ５２やＵＳＢコネクタ７０へ電流が流れ込むことを防止する。
【００３１】
また，第２整流器６２は，第２の電力供給路中，第２スイッチ５３および第５スイッチ５６よりも下流側かつ合流箇所よりも上流側の位置にて，電力の供給方向への電流のみを通過するように配置されている。つまり，第２整流器６２は，ＵＳＢコネクタ７０からコントローラ３０に電力が供給されている場合に，第２スイッチ５３または第５スイッチ５６を介してコンバータ５１への電流が流れ込むことを防止する。
【００３２】
なお，図３中の各スイッチ５２，５３，５４，５５，５６は，電気的接続状態を切り替える手段を分かり易く示すための模式図である。各スイッチ５２，５３，５４，５５，５６としては，例えば，リレーなどの機械的に設定を切り替える部品，パワーＦＥＴやパワートランジスタなどからなる半導体スイッチが適用可能である。
【００３３】
続いて，ＭＦＰ１００の電力切替部５０における電力の供給モードについて説明する。電力切替部５０は，電力の供給モードとして，例えば，図４に示すように，少なくとも以下の３種類のモードを有している。なお，図４では，電力の供給を行う場合に「○」，電力の供給を行わない場合に「×」で示している。
【００３４】
第１モード：コントローラ３０と画像処理部１０とのどちらにも電力を供給しない。
第２モード：コントローラ３０へは電力を供給し，画像処理部１０へは電力を供給しない。
第３モード：コントローラ３０と画像処理部１０との両方へ電力を供給する。
【００３５】
なお，本形態における第３モードでは，第３スイッチ５４と第４スイッチ５５とがともに接続状態とされ，画像処理部１０だけではなく操作パネル４０へも電力が供給される。第２モードでは，操作パネル４０へも電力が供給されるモードと供給されないモードとがあってもよい。なお，電力の供給先は，コントローラ３０と画像処理部１０と操作パネル４０に限らず，さらに他の供給先が有ってもよい。その場合には，他の供給先への電力の供給路にもさらにスイッチが有ってもよい。
【００３６】
ＭＦＰ１００では，電力切替部５０における電力の供給モードを，条件に応じて異なるモードに移行させる。図５および図６は，電力の供給モードの移行手順と，各スイッチ５２〜５５の状態とを示す説明図である。図５は，ＵＳＢコネクタ７０を介して電力の供給を受け付けた際の，各スイッチ５２〜５５の状態遷移を示している。図６は，電源プラグ９０を介して電力の供給を受け付けた際の，各スイッチ５２〜５５の状態遷移を示している。図５および図６中の「不定」は，スイッチの状態が不定であることを示す。
【００３７】
図５および図６中の「閉」は，スイッチの状態が接続状態であることを示す。図５および図６中の「開」は，スイッチの状態が非接続状態であることを示す。本明細書中，スイッチを「閉」に切り替えるとは，スイッチの状態を接続状態に切り替えることを意味し，スイッチを「開」に切り替えるとは，スイッチの状態を非接続状態に切り替えることを意味する。
【００３８】
ＭＦＰ１００は，電源プラグ９０とＵＳＢコネクタ７０とのいずれからも電力の供給を受けていない状態では，図５中の「状態１」に示すように，各スイッチ５２〜５５の状態は不定であり，電力切替部５０における電力の供給モードも定まっていない。また，電力の供給を受けていないので，ＭＦＰ１００のいずれの箇所へも電力は供給されない。図６中「状態１」も同様の状態を示している。
【００３９】
ＭＦＰ１００は，どこからも電力の供給を受けていない状態である「状態１」から，ＵＳＢコネクタ７０を介してホスト側装置２００が接続され，そのホスト側装置２００からの電力が供給される状態となった場合，図５中の「状態２」となる。つまり，ホスト側装置２００から電力が供給されることで，前述したように，第１スイッチ５２は接続状態となる。そして，第１スイッチ５２を介してコントローラ３０に電力が供給されることによりＣＰＵ３１が起動する。つまり，電力切替部５０における電力の供給モードが第２モードになる。
【００４０】
なお，電力切替部５０では，第２整流器６２によって電流の逆流が防止されている。そのため，第１スイッチ５２を介してコントローラ３０に電力が供給されても，第２スイッチ５３，第３スイッチ５４，および第４スイッチ５５の状態は不定のままである。
【００４１】
図５中の「状態２」は，ホスト側装置２００から供給される電力にて，ＭＦＰ１００のコントローラ３０が動作しているものの画像処理部１０が動作していない状態，すなわち画像形成も画像読取もできない状態である。そのため，このまま放置された場合，ホスト側装置２００からの電力を無駄に消費し続ける可能性がある。そこで，ＭＦＰ１００は，電力切替部５０の電力の供給モードを第２モードから第１モードに切り替える条件，すなわち第１スイッチ５２を非接続状態に切り替える条件を満たすか否かを判断する。本形態では，不揮発性メモリ３４に記憶されている第１切替情報３４１がＯＦＦであることを，第１スイッチ５２を非接続状態に切り替える条件とする。
【００４２】
そして，第１スイッチ５２を非接続状態に切り替える条件を満たすと判断した場合，ＭＦＰ１００は，図５中の「状態３」に示すように，第１スイッチ５２を非接続状態に切り替える。これにより，コントローラ３０は，電力の供給を受けていない状態となり，電力切替部５０における電力の供給モードは第１モードとなる。
【００４３】
一方，第１スイッチ５２を非接続状態に切り替える条件を満たさないと判断した場合，ＭＦＰ１００は，図５中の「状態４」に示すように，電力切替部５０における電力の供給モードを第２モードのまま維持する。なお，「状態４」で動作中，ＵＳＢコネクタ７０からＵＳＢプラグが抜かれると，ＭＦＰ１００は，電力の供給を受けない状態となり，コントローラ３０への電力の供給は停止される。
【００４４】
また，ＭＦＰ１００は，どこからも電力の供給を受けていない状態である「状態１」から，電源プラグ９０を介して商用電源から電力が供給される状態となった場合，つまり，ユーザによって電源プラグ９０がソケットに差し込まれた場合，図６中の「状態２」となる。商用電源から電力切替部５０に電力が供給されることで，前述したように，第２スイッチ５３は接続状態となる。そして，第２スイッチ５３を介してコントローラ３０に電力が供給されることによりＣＰＵ３１が起動する。つまり，電力切替部５０における供給モードが第２モードになる。
【００４５】
なお，電力切替部５０では，第１整流器６１によって電流の逆流が防止されている。そのため，第２スイッチ５３を介してコントローラ３０に電力が供給されても，第１スイッチ５２の状態は不定である。また，第３スイッチ５４および第４スイッチ５５は，商用電源からコンバータ５１に電力が供給されることによりリセットされ，いずれも，初期状態の非接続状態となる。
【００４６】
本形態のＭＦＰ１００は，商用電源からの電力によってＣＰＵ３１が起動した場合，第２スイッチ５３を非接続状態に切り替える条件を満たしているか否かによって，電力切替部５０の電力の供給モードを切り替える。すなわち，第２スイッチ５３を非接続状態に切り替える条件を満たしている場合には，電力切替部５０の電力の供給モードを第１モードに切り替え，画像処理を不可能な状態とする。一方，第２スイッチ５３を非接続状態に切り替える条件を満たしていない場合には，電力切替部５０の電力の供給モードを第３モードに切り替え，画像処理を可能な状態とする。
【００４７】
具体的に本形態では，電源キー６０が操作されていないことと，不揮発性メモリ３４に記憶されている第２切替情報３４２がＯＦＦであることと，を第２スイッチ５３を非接続状態に切り替える条件とする。すなわち，本形態では，電源キー６０が操作されていないこと，および不揮発性メモリ３４に記憶されている第２切替情報３４２がＯＦＦであることの，両方を満たす場合に，第２スイッチ５３を非接続状態に切り替える条件を満たすことになる。そのため，ＭＦＰ１００は，例えば，ＣＰＵ３１の起動時に電源キー６０が操作されていた場合，第２スイッチ５３を非接続状態に切り替える条件を満たさない。従って，図６中の「状態３」に示すように，第２スイッチ５３を接続状態に切り替え，第３スイッチ５４および第４スイッチ５５を接続状態に切り替える。これにより，電力切替部５０の電力の供給モードが第３モードに切り替えられ，画像処理部１０および操作パネル４０は，電力の供給を受けている状態となる。
【００４８】
また，例えば，不揮発性メモリ３４に記憶されている第２切替情報３４２がＯＮである場合も，電源キー６０が操作されている場合と同様に，第２スイッチ５３を非接続状態に切り替える条件を満たさない。従って，ＭＦＰ１００は，第２スイッチ５３を接続状態のまま維持し，第３スイッチ５４および第４スイッチ５５を接続状態に切り替える。これにより，ＭＦＰ１００は，電源キー６０が操作されていなくても，電力切替部５０における電力の供給モードを第３モードに自動的に切り替えることが可能になる。
【００４９】
なお，商用電源から電力の供給を受けてコントローラ３０が動作している場合，ホスト側装置２００からの電力供給は不要である。そのため，ＭＦＰ１００は，図６中の「状態３」に示すように，第１スイッチ５２を非接続状態に切り替える。
【００５０】
一方，電源キー６０が操作されておらず，不揮発性メモリ３４に記憶されている第２切替情報３４２がＯＦＦである場合，第２スイッチ５３を非接続状態に切り替える条件を満たす。この場合，ＭＦＰ１００は，図６中の「状態４」に示すように，第２スイッチ５３を非接続状態に切り替える。これにより，電力切替部５０における供給モードが第１モードに切り替えられ，コントローラ３０は，電力の供給を受けていない状態となる。
【００５１】
図６中の「状態４」のように，電力切替部５０における供給モードが第１モードであっても，商用電源から電力が供給されている状態では，ＭＦＰ１００は，電源キー６０への操作を受け付けることで第５スイッチ５６が接続状態となり，コントローラ３０への電力の供給を開始する。このとき，電力切替部５０の電力の供給モードが一時的に第２モードとなる（図６中は不図示）。そして，電源キー６０が操作されていることから，第２スイッチ５３を非接続状態に切り替える条件を満たさないことになり，ＭＦＰ１００は，第２スイッチ５３と第３スイッチ５４と第４スイッチ５５とをすべて接続状態に切り替える。これにより，図６中の「状態５」に示すように，電力切替部５０における電力の供給モードが第３モードに切り替えられ，ＭＦＰ１００は，画像処理可能な状態となる。
【００５２】
なお，ＭＦＰ１００は，第３モードで動作中，所定時間以上継続して電源キー６０を押し続けられた場合，すなわち電源キー６０の長押し操作が行われた場合，第１スイッチ５２と第２スイッチ５３と第３スイッチ５４と第４スイッチ５５とをすべて非接続状態に切り替える。これにより，電力切替部５０における電力の供給モードが第１モードに切り替えられる。つまり，電源キー６０の長押し操作は，ＭＦＰ１００に対して電源オフ命令の入力を意味する。
【００５３】
続いて，本形態のＭＦＰ１００にて，上述した電力の供給モードの切り替え動作を実現するモード移行処理の手順について，図７のフローチャートを参照して説明する。モード移行処理は，ＣＰＵ３１が電力の供給を受けていない状態から，電力の供給を受けたことを契機に，つまり，電力切替部５０からコントローラ３０へ電力が供給され，ＣＰＵ３１が起動されたことを契機に，ＣＰＵ３１にて実行される。なお，このモード移行処理の開始時，電力切替部５０の電力の供給モードは第２モードである。そのため，コントローラ３０には電力が供給されているが，画像処理部１０には電力が供給されていない。
【００５４】
モード移行処理では，ＣＰＵ３１は先ず，商用電源から供給された電力によってＣＰＵ３１自身が駆動されているか否か，すなわち電力切替部５０に交流電力が入力されているか否かを判断するために，電力切替部５０のコンバータ５１から波形信号を受信する（Ｓ１０１）。コンバータ５１は，供給を受けている電力に基づいて，例えば，交流電圧の絶対値がゼロとなるタイミングであるゼロクロスポイントを検出するための波形信号を生成する構成を含んでいる。そして，コントローラ３０は，その波形信号をコンバータ５１から受信する。ＣＰＵ３１は，コンバータ５１から受信した波形信号に基づいて，ゼロクロスポイントを検出する。
【００５５】
電力切替部５０に交流電力が入力されていれば，受信した波形信号から複数のゼロクロスポイントが検出される。そして，電力切替部５０にて商用電源からの電力の供給を受けていれば，波形信号から単位時間あたりに検出されるゼロクロスポイントの数は，所定値よりも大きい。そこで，ＣＰＵ３１は，所定時間内に受信した波形信号に基づいて，ゼロクロスポイントを検出し，単位時間あたりのゼロクロスポイントの数が所定値よりも大きければ，商用電源から電力の供給を受けていると判断する。所定時間は例えば１００ｍｓであり，所定値は例えば１０である。
【００５６】
そこで，ＣＰＵ３１は，波形信号から単位時間あたりに検出されるゼロクロスポイントの数をカウントし，その数が所定値を超えているか否かを判断する（Ｓ１０２）。ゼロクロスポイントの数が所定値以下であると判断した場合（Ｓ１０２：ＮＯ），ＣＰＵ３１は，電力供給の開始から所定時間が経過したか否かを判断する（Ｓ１０３）。所定時間が経過していないと判断した場合（Ｓ１０３：ＮＯ），ＣＰＵ３１は，Ｓ１０１に戻り，さらに継続して波形信号を受信し，Ｓ１０２およびＳ１０３の判断を繰り返す。
【００５７】
所定時間が経過したと判断した場合（Ｓ１０３：ＹＥＳ），ＣＰＵ３１は，不揮発性メモリ３４に記憶されている第１切替情報３４１がＯＦＦか否かを判断する（Ｓ１０４）。所定時間が経過しても単位時間あたりに検出されるゼロクロスポイントの数が所定値を超えない場合には，ＣＰＵ３１は，商用電源からの電力の供給を受けていないと判断する。つまり，本処理の契機となった電力の供給は，ホスト側装置２００からの直流電力の供給であり，ＣＰＵ３１は，ＵＳＢコネクタ７０を介して供給された電力によって駆動された状態である。そこで，ＣＰＵ３１は，第１スイッチ５２を非接続状態に切り替える条件を満たすか否か判断する。
【００５８】
なお，ホスト側装置２００からのみ電力の供給を受けて，ＣＰＵ３１を起動させる場合，消費電力は，ホスト側装置２００がＵＳＢバス経由で供給できる電力の上限である２．５Ｗ以下であることが望ましい。そのため，コントローラ３０は，モード移行処理の実行開始時には，画像処理部１０への供給電力を抑える他，操作パネル４０やネットワークインターフェイスやＳＤＲＡＭへの供給電力を抑える，複数のＣＰＵを備えている場合には全部のＣＰＵを起動しないで一部のＣＰＵだけを起動する，等とするとよい。このようにすれば，供給されている電力がホスト側装置２００からの電力のみであっても，ＣＰＵ３１は，安定して起動され，モード移行処理を実行できる。
【００５９】
そして，ＣＰＵ３１は，不揮発性メモリ３４に記憶されている第１切替情報３４１がＯＦＦであると判断した場合（Ｓ１０４：ＹＥＳ），ＣＰＵ３１は，電力の供給モードを第２モードから第１モードへ移行させ（Ｓ１０６），このモード移行処理を終了する。Ｓ１０６は，図５中の「状態２」から「状態３」への移行に相当し，ＣＰＵ３１は，電力切替部５０に，第１スイッチ５２を「閉」から「開」に切り替える指示を送信する。電力切替部５０によって第１スイッチ５２が「開」とされると，コントローラ３０への電力の供給が無くなり，ＣＰＵ３１は処理を継続できなくなる。そのため，ＣＰＵ３１によるモード移行処理は，終了となる。
【００６０】
一方，不揮発性メモリ３４に記憶されている第１切替情報３４１がＯＦＦでないと判断した場合（Ｓ１０４：ＮＯ），ＣＰＵ３１は，電力切替部５０の電力の供給モードを切り替えない。つまり，ＣＰＵ３１は，第１スイッチ５２〜第４スイッチ５５の状態を切り替える指示を電力切替部５０に送信しない。そして，ＣＰＵ３１は，ホスト側装置２００から供給を受ける電力によって動作を継続し，第２モードでの動作時の処理である第２モード処理を実行する（Ｓ１０８）。
【００６１】
次に，第２モードでの電力の供給を受けている場合のＣＰＵ３１の処理である第２モード処理の手順について，図８のフローチャートを参照して説明する。第２モード処理は，商用電源からの電力の供給を受けていない状態で，ＵＳＢコネクタ７０に接続されたホスト側装置２００から供給される電力をコントローラ３０へ供給し，画像処理部１０へは供給しないモードにおいて，ＣＰＵ３１にて実行される処理である。
【００６２】
第２モード処理では，ＣＰＵ３１は先ず，ＵＳＢ接続されているホスト側装置２００から送信される応答要求信号に応答して，応答信号を送信する（Ｓ２０１）。ＣＰＵ３１は，ＵＳＢコネクタ７０を介して，例えば，ＰｎＰ応答を行う。これにより，ＭＦＰ１００は，ＵＳＢ接続されたホスト側装置２００との通信が可能となる。ホスト側装置２００から送信される応答要求信号を受信していなければ，ＣＰＵ３１は，Ｓ２０１を省略する。
【００６３】
なお，ＵＳＢ接続されたホスト側装置２００は，ＵＳＢ接続された直後から，応答要求信号を送信する場合がある。しかし，ＭＦＰ１００は，第２モードでの電力の供給を継続すると決定されるまでは，応答信号を送信しない。つまり，ＭＦＰ１００は，第１モードに切り替えると判断した場合，ホスト側装置２００から応答要求信号を受信していたとしても，応答信号を送信しない。これにより，ホスト側装置２００は，ＭＦＰ１００において第２モードでの電力の供給を継続すると決定されるまでは，ＭＦＰ１００を認識できない。従って，ＭＦＰ１００が第２モードを継続しない場合に，ホスト側装置２００のディスプレイにＵＳＢ機器が接続されたことを示すポップアップ画面が表示されることは抑制される。
【００６４】
次に，ＣＰＵ３１は，ホスト側装置２００からコマンドあるいはジョブを受信したか否かを判断する（Ｓ２０２）。コマンドあるいはジョブを受信していないと判断した場合（Ｓ２０２：ＮＯ），ＣＰＵ３１は，ホスト側装置２００から何も受信していない状態が一定時間以上継続し，タイムアウトとなったか否かを判断する（Ｓ２０３）。タイムアウトとなっていないと判断した場合（Ｓ２０３：ＮＯ），ＣＰＵ３１は，Ｓ２０２とＳ２０３の判断を繰り返す。
【００６５】
一方，タイムアウトとなったと判断した場合（Ｓ２０３：ＹＥＳ），ＣＰＵ３１は，電力の供給モードを第２モードから第１モードへ移行させ（Ｓ２０４），第２モード処理を終了する。具体的には，モード移行処理のＳ１０６と同様に，電力切替部５０に，第１スイッチ５２を「閉」から「開」に切り替える指示を送信する。これにより，ＣＰＵ３１は電力の供給を受けなくなるので，第２モード処理は終了となる。電力切替部５０の電力の供給モードを第２モードに維持したまま長時間待機すると，無駄な電力消費が大きい。そのため，ＭＦＰ１００は，タイムアウトと判断した場合，ＵＳＢ接続されているホスト側装置２００からの電力の供給も自動的に遮断して，それ以上の電力消費を抑える。
【００６６】
タイムアウトとなる前にホスト側装置からコマンドを受信したと判断した場合（Ｓ２０２：ＹＥＳ），ＣＰＵ３１は，受信したコマンドが第１切替情報３４１の変更コマンドであるか否かを判断する（Ｓ２０６）。第１切替情報３４１の変更コマンドを受信したと判断した場合（Ｓ２０６：ＹＥＳ），ＣＰＵ３１は，不揮発性メモリ３４に記憶されている第１切替情報３４１を，Ｓ２０６で受信した変更コマンドに応じてＯＮまたはＯＦＦに変更する（Ｓ２０７）。
【００６７】
第２モードとして動作している間に，第１切替情報３４１をＯＦＦに変更するコマンドを受け付けることで，ＭＦＰ１００は，次回以降の起動時には，図７のＳ１０４およびＳ１０６に示したように，第２モードでの動作を継続せず，第１モードへ移行するように設定できる。つまり，出荷前にファームウェア等を書き換えた場合，書き換え後に第１切替情報３４１をＯＦＦに変更する処理を行うことで，それ以後は，ホスト側装置２００が接続されても第２モードでの動作を制限することができる。そのため，ユーザ環境での第２モードの動作機会を低減できる。
【００６８】
Ｓ２０７の後，または，第１切替情報３４１の変更コマンドを受信していないと判断した場合（Ｓ２０６：ＮＯ），ＣＰＵ３１は，受信したコマンドが設定情報やファームウェアの書換指示であるか否かを判断する（Ｓ２０８）。設定情報やファームウェアの書換指示を受信したと判断した場合（Ｓ２０８：ＹＥＳ），ＣＰＵ３１は，受信したコマンドに基づいて，指示された動作を実行する（Ｓ２０９）。例えば，コマンドがファームウェアの書換指示であれば，ＣＰＵ３１は，書換対象のファームウェアを書き換える。つまり，ＣＰＵ３１は，ＲＯＭ３２または不揮発性メモリ３４に記憶されているプログラムないし情報を，コマンドの指示に基づいて書き換える。
【００６９】
Ｓ２０９の後，または，設定情報やファームウェアの書換指示を受信していないと判断した場合（Ｓ２０８：ＮＯ），ＣＰＵ３１は，受信したコマンドが画像処理を含むジョブであるか否かを判断する（Ｓ２１０）。画像処理を含むジョブを受信したと判断した場合（Ｓ２１０：ＹＥＳ），ＣＰＵ３１は，受信したジョブのデータを読み捨てる（Ｓ２１１）。第２モードにおいて画像処理を含むジョブを受信した場合にそのジョブのデータを読み捨てる理由は，第２モードで利用できる電力は画像処理の実行に必要な電力よりも小さく，画像処理を含むジョブを実行できないためである。なおＣＰＵ３１は，ジョブを実行しないことを報知する信号を，ジョブの送信元であるホスト側装置２００に送信してもよい。
【００７０】
Ｓ２１１の後，または，画像処理を含むジョブを受信していないと判断した場合（Ｓ２１０：ＮＯ），ＣＰＵ３１は，受信したコマンドが第１モードへの移行命令であるか否かを判断する（Ｓ２１２）。第１モードへの移行命令であると判断した場合（Ｓ２１２：ＹＥＳ），ＣＰＵ３１は，電力切替部５０の電力の供給モードを第２モードから第１モードへ移行させ（Ｓ２０４），第２モード処理を終了する。
【００７１】
第１モードへの移行命令ではないと判断した場合（Ｓ２１２：ＮＯ），ＣＰＵ３１は，Ｓ２０２に戻って，ホスト側装置２００からのコマンドをさらに受け付ける。そして，Ｓ２０３にてタイムアウトと判断されるまで，コマンドの受付を行う。
【００７２】
なお，第２モード処理の実行中に，ＵＳＢコネクタ７０へのホスト側装置２００からの電力の供給が失われた場合，つまり，ＵＳＢコネクタ７０からＵＳＢプラグが抜かれた場合やホスト側装置２００の電源機能が停止された場合には，ＣＰＵ３１による処理の実行ができなくなる。この場合にも，第２モード処理は終了される。
【００７３】
また，ＣＰＵ３１は，前述した第２モード処理の実行中，電源キー６０への操作を受け付けても，電力切替部５０の電力の供給モードを変更しない。例えば，ＵＳＢ接続されているホスト側装置２００からのみ電力が供給されている状態では，電源キー６０への操作を受け付けたことを示す信号がコントローラ３０へ入力されないように構成されていてもよい。あるいは，第２モード処理の実行中，ＣＰＵ３１は，電源キー６０への操作を受け付けたことを示す信号が入力されても何もしないとしてもよい。これにより，例えば，開梱後のＭＦＰ１００にて第２モードにて動作中に電源キー６０が押されてしまったとしても，ＣＰＵ３１は，第２モード処理を継続して実行できる。
【００７４】
図７のモード移行処理の説明に戻り，Ｓ１０３にて所定時間が経過したと判断する前に，ゼロクロスポイントの数が所定値を超えたと判断した場合（Ｓ１０２：ＹＥＳ），ＣＰＵ３１は，商用電力処理を実行する（Ｓ１０９）。ＣＰＵ３１は，波形信号から単位時間あたりに検出されるゼロクロスポイントの数が所定値より大きい場合に，電源プラグ９０に供給された電力によってＣＰＵ３１自身が駆動され，商用電源からの電力の供給を受けていると判断する。つまり，商用電力処理は，ＭＦＰ１００が商用電源から電力の供給を受けている場合の処理である。
【００７５】
次に，商用電力処理の手順について，図９のフローチャートを参照して説明する。商用電力処理は，商用電源からの電力の供給を受けている状態で，ＣＰＵ３１にて実行される処理である。
【００７６】
商用電力処理では，ＣＰＵ３１は先ず，不揮発性メモリ３４に記憶されている第１切替情報３４１がＯＦＦか否かを判断する（Ｓ３０１）。そして，第１切替情報３４１がＯＦＦではないと判断した場合（Ｓ３０１：ＮＯ），ＣＰＵ３１は，不揮発性メモリ３４に記憶されている第１切替情報３４１をＯＦＦに変更する（Ｓ３０２）。なお，Ｓ３０１の判断を省略して，第１切替情報３４１にＯＦＦを上書きしてもよい。
【００７７】
ＭＦＰ１００は，ＣＰＵ３１が電源プラグ９０に供給された電力（商用電源からの電力）によって駆動された場合，不揮発性メモリ３４に記憶されている第１切替情報３４１をＯＦＦに変更する。不揮発性メモリ３４に記憶されている第１切替情報３４１がＯＦＦであれば，図７に示したモード移行処理のＳ１０４およびＳ１０６に示したように，ＵＳＢ接続されたホスト側装置２００から供給を受ける電力のみによるコントローラ３０の動作は制限される。これにより，ユーザ環境において一度でも商用電源からの電力によって電力切替部５０の電力の供給モードが第２モードとなりＣＰＵ３１を起動させた後は，ＵＳＢコネクタ７０に供給された電力によって電力切替部５０の電力の供給モードが第２モードとなりＣＰＵ３１を起動させた場合，電力切替部５０の電力の供給モードを第２モードのまま維持しないで第１モードに切り替えることができる。従って，ユーザ環境での第２モードの動作機会を低減できる。
【００７８】
Ｓ３０２の後，あるいは不揮発性メモリ３４に記憶されている第１切替情報３４１がＯＦＦであると判断した場合（Ｓ３０１：ＹＥＳ），ＣＰＵ３１は，電源キー６０への操作を受け付けているか否かを判断する（Ｓ３１１）。電源キー６０への操作を受け付けていると，前述したように，電力切替部５０の第５スイッチ５６が「閉」となるとともに，操作を受け付けたことを示す信号がコントローラ３０へ入力される。ＣＰＵ３１は，その信号に基づいて，電源キー６０への操作を受け付けているか否かを判断できる。
【００７９】
電源キー６０への操作を受け付けていると判断した場合（Ｓ３１１：ＹＥＳ），ＣＰＵ３１は，不揮発性メモリ３４に記憶されている第２切替情報３４２をＯＮに変更する（Ｓ３１２）。さらにＣＰＵ３１は，電力切替部５０の電力の供給モードを第２モードから第３モードへ移行させる（Ｓ３１３）。Ｓ３１３は，図６中の「状態２」から「状態３」への移行に相当し，ＣＰＵ３１は，電力切替部５０に，第３スイッチ５４を「閉」に切り替える指示と，第４スイッチ５５を「閉」に切り替える指示とを送信する。
【００８０】
これにより，ＭＦＰ１００は，画像処理部１０を含む各部への電力の供給を制限しない第３モードとなる。そのため，例えば，操作パネル４０を介してユーザの指示を受け付けた場合には，その指示に基づいて通常の動作を実行する。通常の動作としては，画像処理を含む動作であってもよく，例えば，印刷，コピー，スキャンが該当する。また，外部装置とのデータの送受信も可能になる。
【００８１】
また，ＣＰＵ３１は，電力切替部５０に，第１スイッチ５２を「開」に切り替える指示を送信する（Ｓ３１４）。第１スイッチ５２が「開」となることで，ＵＳＢ接続されているホスト側装置２００からの電力の供給が停止される。つまり，ＭＦＰ１００では，商用電源から電力が供給されている場合には，ホスト側装置２００からの電力供給を制限して，商用電源からの電力のみを使用する。これにより，例えば，商用電源からの電力供給が突然切断された場合でも，ホスト側装置２００から過大な電力を吸い込んでしまう可能性を低減できる。
【００８２】
なお，ＭＦＰ１００は，ホスト側装置２００からの電力供給を制限した状態でも，ＵＳＢコネクタ７０に差し込まれているＵＳＢプラグの有無を検知できる。そこで，ＣＰＵ３１は，ＵＳＢ接続されているホスト側装置２００がある場合に，そのホスト側装置２００から送信される応答要求信号に応答する応答信号を送信する（Ｓ３１５）。Ｓ３１５は，第２モード処理のＳ２０１と同様の処理である。つまり，ＭＦＰ１００は，商用電源から電力が供給されている場合，ホスト側装置２００からの電力供給を制限するが，ホスト側装置２００との信号のやり取りは制限しない。
【００８３】
Ｓ３１５の後，ＣＰＵ３１は，電源オフ命令を受け付けたか否かを判断する（Ｓ３１６）。ＭＦＰ１００では，電源キー６０の長押し操作によって，電源オフ命令を受け付ける。電源オフ命令を受け付けていなければ（Ｓ３１６：ＮＯ），ＣＰＵ３１は，Ｓ３１６の判断を繰り返す。
【００８４】
電源オフ命令を受け付けた場合（Ｓ３１６：ＹＥＳ），ＣＰＵ３１は，不揮発性メモリ３４に記憶した第２切替情報３４２をＯＦＦに変更する（Ｓ３３１）。これにより，電源オフ命令を受けて電力供給が遮断された場合には，不揮発性メモリ３４に記憶されている第２切替情報３４２はＯＦＦとなり，電源オフ命令を受けずに電力供給が強制的に遮断された場合には，不揮発性メモリ３４に記憶されている第２切替情報３４２はＯＮのままになる。また，第３モードで動作中は，Ｓ３１２によって予め第２切替情報３４２がＯＮに変更される。そのため，ＭＦＰ１００は，ＣＰＵ３１の起動時に，不揮発性メモリ３４に記憶されている第２切替情報３４２がＯＦＦか否かを判断することによって，前回の電力供給の遮断の際，電源オフ命令が入力されたか，電源オフ命令が入力されずに強制的に遮断されたか，を判断できる。ここでいう「電源オフ命令が入力されずに強制的に遮断された」場合とは，例えば停電により電力供給が失われた場合や，電源プラグ９０が抜かれて商用電源から切り離された場合，が該当する。
【００８５】
Ｓ３３１の後，ＣＰＵ３１は，電力切替部５０の電力の供給モードを第３モードから第１モードへ移行させ（Ｓ３５１），商用電力処理を終了する。具体的に，ＣＰＵ３１は，電力切替部５０に，第２スイッチ５３と第３スイッチ５４と第４スイッチ５５とを「閉」から「開」に切り替える指示を送信する。これにより，コントローラ３０への電力の供給が絶たれ，ＣＰＵ３１は処理の実行ができなくなる。そのため，商用電力処理は，終了する。
【００８６】
なお，電源オフ命令を受け付けて電力供給を遮断した場合，ＭＦＰ１００では，電力切替部５０の電力の供給モードが第１モードに移行するものの，商用電源から電力が電力切替部５０に継続して供給され続けている。この場合，第１モードへ移行した後，再び電源キー６０への操作を受け付けた場合，電源キー６０への操作によって第５スイッチ５６が「閉」となり，コントローラ３０への電力の供給が開始される。そして，ＣＰＵ３１が起動され，ＣＰＵ３１は，モード移行処理の実行を開始する。この場合，ＣＰＵ３１は，商用電源から供給される電力によって駆動されており，電源キー６０が操作されていると判断するので，電力の供給モードを第３モードへ移行させる。
【００８７】
また，図８の第２モード処理と，図９の商用電力処理では，終端として「戻る」を示しているが，これらの処理はいずれも，第１モードへの移行，または，ＭＦＰ１００への電力の供給の停止，によって終了する。つまり，ＣＰＵ３１への電力の供給が遮断されることにより実行を停止するので，実際には，モード移行処理に戻ることはない。そして，ＣＰＵ３１への電力の供給が再開されれば，ＣＰＵ３１は，モード移行処理の実行を開始する。
【００８８】
一方，電源キー６０への操作を受け付けていないと判断した場合（Ｓ３１１：ＮＯ），ＣＰＵ３１は，不揮発性メモリ３４に記憶されている第２切替情報３４２がＯＦＦか否かを判断する（Ｓ３２１）。不揮発性メモリ３４に記憶されている第２切替情報３４２がＯＦＦである場合（Ｓ３２１：ＹＥＳ），ＣＰＵ３１は，電力切替部５０の電力の供給モードを第３モードから第１モードへ移行させ（Ｓ３５１），商用電力処理を終了する。Ｓ３２１からＳ３５１への流れは，図６中の「状態２」から「状態４」への移行に相当し，商用電源が供給されて起動した場合であっても，電源キー６０が押下されておらず，第２切替情報３４２がＯＦＦである場合，すなわち第２スイッチ５３を非接続状態に切り替える条件を満たす場合，ＣＰＵ３１は，電力切替部５０の電力の供給モードを第１モードへ移行させる。
【００８９】
不揮発性メモリ３４に記憶されている第２切替情報３４２がＯＦＦでない場合（Ｓ３２１：ＮＯ），ＣＰＵ３１は，Ｓ３１３に移行し，電力切替部５０の電力の供給モードを第２モードから第３モードへ移行させる。Ｓ３１３以降の処理は，前述した通りである。前述したように不揮発性メモリ３４に記憶されている第２切替情報３４２がＯＮである場合，前回の電力供給の遮断の際，電源オフ命令を入力せずに強制的に遮断したと判断できる。そのため，ＭＦＰ１００は，電力切替部５０の電力の供給モードを第３モードに移行させることで，電力供給を強制的に遮断される前の状態に戻し，電源キー６０の操作の手間を省略する。
【００９０】
以上，詳細に説明したように，本形態のＭＦＰ１００は，電力が供給されていない状態から電力が供給された状態に変化すると，電力切替部５０の電力の供給モードが第２モードになる。第２モードは，ＣＰＵ３１を備えるコントローラ３０には電力を供給し，画像処理部１０には電力を供給しないモードである。そして，ＣＰＵ３１が電力切替部５０からの電力の供給を受けて起動した際，ＣＰＵ３１は，電力切替部５０からの波形信号に基づいて，電源プラグ９０に供給された電力によってＣＰＵ３１自身が駆動されているか否かを判断する。そして，電源プラグ９０に供給された電力ではない，すなわちＵＳＢコネクタ７０に供給された電力によって駆動されていると判断した場合，ＣＰＵ３１は，第１切替情報３４１がＯＦＦであることを条件として，電力切替部５０に対して第１スイッチ５２を非接続状態に切り替える指示を行い，電力切替部５０の電力の供給モードを第２モードから第１モードに切り替える。このように第２モードでの動作を制限する条件を設けることで，第２モードの利用を制限しない場合と比較して，出荷後に第２モードで動作する機会が減り，結果として電力の無駄な消費の軽減が期待できる。
【００９１】
なお，本実施の形態は単なる例示にすぎず，本発明を何ら限定するものではない。したがって本発明は当然に，その要旨を逸脱しない範囲内で種々の改良，変形が可能である。例えば，複合機に限らず，複写機，プリンタ，スキャナ，ＦＡＸ装置など，画像処理機能を備え，商用電源からとＵＳＢ接続先の電源からとのいずれからも電力の供給を受けることのできる装置であれば適用可能である。また，ＭＦＰ１００は，外部装置との通信を可能にするインターフェイスとして，ＵＳＢコネクタ７０以外の構成を備えていてもよい。例えば，インターネットやＬＡＮとの接続を可能にするネットワークインターフェイスを備えていてもよい。
【００９２】
また，電力切替部５０による電力の供給モードのうち第２モードは，画像処理部１０に電力を供給しないモードであればよい。第２モードでの電力の供給先は，コントローラ３０全体に限らず，例えば，コントローラ３０のうちの一部のみとしてもよいし，操作パネル４０の一部等のコントローラ３０以外の箇所にも供給してもよい。
【００９３】
また，第２モード処理のＳ２０３におけるタイムアウトは，無くてもよい。つまり，ＵＳＢコネクタ７０からプラグが抜かれるまで，コマンドの送信を待ち続けてもよい。ただし，タイムアウトの判断を行った方が，省電力となる可能性が高いので好ましい。さらに，タイムアウトとなるまでの一定時間は，固定時間でも可変時間でもよい。
【００９４】
また，第２モード処理では，各種のコマンドの受信の有無の判断の順序は，例示したものに限らない。つまり，第２モード処理のＳ２０６，Ｓ２０８，Ｓ２１０，Ｓ２１２の実行順は，どの順であってもよい。また，第２モード処理では，画像処理を伴うジョブを受け付けた場合，ジョブを読み捨てるとしたが，例えば，受け付けたジョブをＲＡＭ３３に記憶させ，操作パネル４０へのユーザ操作による実行指示の入力を待ってそのジョブを実行してもよい。
【００９５】
また，ＭＦＰ１００は，第２モード処理の実行中にも，ゼロクロスポイントを検出するための波形信号を受信してもよい。そして，第２モード処理の実行中に，商用電源からの電力の供給が開始されたと判断した場合，第２モード処理の実行を中断して，商用電力処理の実行を開始してもよい。
【００９６】
また，実施の形態では，ＣＰＵ３１は，コントローラ３０が受信したゼロクロスポイントを検出するための波形信号に基づいて，電源プラグ９０を介して供給された交流電力によってＣＰＵ３１自身が駆動されているか否かを判断しているが，波形信号に限らず，例えば，電力切替部５０が電圧値や電流値を検出して交流電力か否かを判断し，その判断結果を示す信号をコントローラ３０に入力してもよい。すなわち，ＣＰＵ３１は，その信号に基づいて，電源プラグ９０に電力が供給されているか否かを判断してもよい。
【００９７】
また，実施の形態では，商用電力処理において第１切替情報３４１を自動的にＯＦＦにしているが，しなくてもよい。つまり，Ｓ３０１とＳ３０２は，無くてもよい。例えば，第１切替情報３４１のＯＦＦへの変更は，ＰＣ等からのコマンドの送信や操作パネル４０への設定操作によって行ってもよい。ただし，商用電源からの電力の供給により自動的に変更すれば，ユーザ環境での第２モードでの動作機会を減らす上では好ましい。
【００９８】
また，実施の形態では，第１切替情報３４１について，第１スイッチ５２を接続状態とする場合にＯＮとし，非接続状態とする場合にＯＦＦとしているが，不揮発性メモリ３４内での第１切替情報３４１の有無によって第１スイッチ５２を接続状態とするか非接続状態とするかを決定してもよい。
【００９９】
また，実施の形態では，第１切替情報３４１がＯＮかＯＦＦかによって，第１スイッチ５２を接続状態とするか非接続状態とするかを判断しているが，第１切替情報３４１を，第１スイッチ５２を非接続状態とする場合は第１値とし，第１スイッチ５２を接続状態とする場合は第２値とし，製造直後は第１切替情報に第２値を記憶し，商用電源からの電力の供給によってＣＰＵ３１が起動した場合に第１切替情報を第１値に書き換え，モード移行処理のＳ１０４では第１切替情報が第１値か否かを判断することでも，同様の効果が得られる。この場合，第１切替情報の第１値が，第１の情報の一例となる。
【０１００】
また，実施の形態では，第１切替情報３４１がＯＦＦであるか否かによって，電力切替部５０の電力の供給モードを第１モードとするか否かを決定しているが，第１スイッチ５２を非接続状態に切り替える条件は，これに限るものではない。例えば，電源キー６０等の特定の入力手段が操作されていないことを，第１スイッチ５２を非接続状態に切り替える条件としてもよい。
【０１０１】
また，実施の形態では，電源プラグ９０を介して供給された交流電力によってＣＰＵ３１が起動した場合であって，電源キー６０が押下されていない場合に，第２切替情報３４２がＯＦＦであるか否かの判断（Ｓ３２１）によって，電力切替部５０の電力の供給モードを第３モードとするか第１モードとするかを決定しているが，第２切替情報３４２の判断を行わず，第１モードとしてもよい。つまり，電源キー６０が押下されていない場合に，第３モードに移行し，押下されていない場合に，第１モードに移行する構成としてもよい。ただし，第２切替情報３４２の判断を行って，第３モードへの移行を可能にすることで，ユーザによる電源キー６０の操作を伴わず，自動的に電力切替部５０の電力の供給モードを第１モードとするか第３モードとするかを制御でき，ＭＦＰ１００の利用の自由度が高まる。これにより，例えば，夜間等の所定の時間帯に電力の供給を遮断するため，第１の時刻で自動的に電源プラグ９０への電力供給を遮断し，その後の第２の時刻で自動的に電源プラグ９０への電力供給を再開し，その際，ユーザの電源キー６０の操作を伴わずに自動的に第３モードに移行し，ＭＦＰ１００が利用可能になるといったシステムを構築できる。
【０１０２】
また，実施の形態では，第２切替情報３４２について，第３モードに移行する場合にＯＮとし，第１モードに移行する場合にＯＦＦとしているが，不揮発性メモリ３４内での第２切替情報３４２の有無によって第３モードに移行するか第１モードに移行するかを決定してもよい。
【０１０３】
また，実施の形態では，第２切替情報３４２がＯＮかＯＦＦかによって，第２スイッチ５３を接続状態とするか非接続状態とするかを判断しているが，第２切替情報３４２を，第１モードに移行する場合は第１値とし，第３モードに移行する場合は第２値とし，製造直後は第２切替情報に第１値を記憶し，商用電源からの電力の供給によってＣＰＵ３１が起動し，かつ電源キー６０が押下されていた場合に第２切替情報を第２値に書き換え，電源キー６０の操作による電源オフ時に第２切替情報を第１値に書き換え，商用電力処理のＳ３２１では第２切替情報が第１値か否かを判断することでも，同様の効果が得られる。この場合，第２切替情報の第１値が，第２の情報の一例となる。
【０１０４】
また，電源キー６０は，モーメンタリタイプに限らず，オルタネートタイプのスイッチであってもよい。例えば，機械的に変位する切り替えスイッチであってもよい。そして，商用電源からの電力の供給を受けていると判断した場合，電源キー６０の位置に基づいて，電力切替部５０の電力の供給モードを第３モードとするか第１モードとするかを決定してもよい。また，実施の形態では，第１モードでは，電源キー６０の操作のみを受け付けるとしているが，操作パネル４０の操作も受け付けてもよい。
【０１０５】
また，本形態に開示されている処理は，単一のＣＰＵ，複数のＣＰＵ，ＡＳＩＣなどのハードウェア，またはそれらの組み合わせで実行されてもよい。また，実施の形態に開示されている処理は，その処理を実行するためのプログラムを記録した記録媒体，または方法等の種々の態様で実現することができる。
【符号の説明】
【０１０６】
１０  画像処理部
３１  ＣＰＵ
３４  不揮発性メモリ
５０  電力切替部
６０  電源キー
７０  ＵＳＢコネクタ
９０  電源プラグ
１００  ＭＦＰ
３４１  第１切替情報
３４２  第２切替情報
【図１】
2018089912.tif 000003
【図２】
2018089912.tif 000004
【図３】
2018089912.tif 000005
【図４】
2018089912.tif 000006
【図５】
2018089912.tif 000007
【図６】
2018089912.tif 000008
【図７】
2018089912.tif 000009
【図８】
2018089912.tif 000010
【図９】
2018089912.tif 000011